【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
ＩＰ通信網は論理端子を含み、端末Ｔ１は論理端子Ｌ１に接続され、端末Ｔ２は論理端子Ｌ２に接続され、前記端末Ｔ２の電話番号又はホスト名が前記端末Ｔ１から前記ＩＰ通信網に送られ、前記電話番号又は前記ホスト名を基に、前記論理端子Ｌ１と前記論理端子Ｌ２の間で、ＩＰパケットを含む内部パケットが転送される仮想専用線が定まり、前記端末Ｔ１から音声又はデータが送られ、前記音声又はデータを含む前記ＩＰパケットが前記論理端子Ｌ１に送られ、前記ＩＰパケットが前記仮想専用線を経由して前記論理端子Ｌ１から前記論理端子Ｌ２に送られ、前記音声又はデータが前記端末Ｔ２に送られ、前記ＩＰ通信網は通信解放要求を受け取り、前記仮想専用線が抹消されることを特徴とする通信システム。
【請求項２】
ＩＰ通信網は論理端子を含む網ノード装置を含み、端末Ｔ１は、網ノード装置Ｎ１の論理端子Ｌ１に接続され、端末Ｔ２は、網ノード装置Ｎ２の論理端子Ｌ２に接続され、前記端末Ｔ２の電話番号又はホスト名が、前記端末Ｔ１から前記ＩＰ通信網に送られ、前記電話番号又は前記ホスト名を基に前記網ノード装置Ｎ１の前記論理端子Ｌ１と前記網ノード装置Ｎ２の前記論理端子Ｌ２の間で、ＩＰパケットを含む内部パケットが転送される仮想専用線が定まり、前記端末Ｔ１から音声又はデータが送られ、前記音声又はデータを含む前記ＩＰパケットが前記論理端子Ｌ１に送られ、前記ＩＰパケットが前記仮想専用線を経由して前記論理端子Ｌ１から前記論理端子Ｌ２に送られ、前記音声又はデータが前記端末Ｔ２に送られ、前記ＩＰ通信網は通信解放要求を受け取り、前記仮想専用線が抹消されることを特徴とする通信システム。
【請求項３】
ＩＰ通信網はサーバを含み、端末Ｔ１及びＴ２は前記ＩＰ通信網に接続され、前記端末Ｔ２の電話番号又はホスト名が、サーバＤ１に送られ、前記サーバＤ１により前記電話番号又は前記ホスト名を基に、サーバＳ２のＩＰアドレスＳ２Ａが定まり、サーバＳ１と前記サーバＳ２により、前記ＩＰアドレスＳ２ＡとＳＩＰ（Ｓｅｓｓｉｏｎ  Ｉｎｉｔｉａｔｉｏｎ  Ｐｒｏｔｏｃｏｌ）プロトコルを用いた前記端末Ｔ１と前記端末Ｔ２の間の、通信の制御が行われ、前記端末Ｔ１とＴ２の間の通信は、前記サーバＳ２を経由せず、前記ＩＰ通信網を経由して行われることを特徴とする通信システム。
【請求項４】
前記ＩＰ通信網は公衆電話交換網又は携帯通信網に接続され、前記公衆電話交換網又は前記携帯通信網には端末Ｔ４が接続され、前記端末Ｔ１は前記端末Ｔ４と通信を行う請求項１乃至３のいずれかに記載の通信システム。
【請求項５】
前記端末Ｔ１は無線通信路Ｒ１を経由して前記論理端子Ｌ１又は前記ＩＰ通信網に接続され、前記端末Ｔ２は無線通信路Ｒ２を経由して前記論理端子Ｌ２又は前記ＩＰ通信網に接続され、前記端末Ｔ１は前記端末Ｔ２と前記無線通信路Ｒ１、前記仮想専用線又は前記ＩＰ通信網及び前記無線通信路Ｒ２を経由して通信を行う請求項１乃至３のいずれかに記載の通信システム。
【請求項６】
前記ＩＰ通信網はインターネットに接続され、前記インターネットには端末Ｔ６が接続され、前記端末Ｔ１は前記端末Ｔ６と通信を行う請求項１乃至３のいずれかに記載の通信システム。
【請求項７】
前記ＩＰ通信網は他のＩＰ通信網に接続され、前記他のＩＰ通信網には端末Ｔ７が接続され、前記端末Ｔ１は前記端末Ｔ７と通信を行う請求項１乃至３のいずれかに記載の通信システム。
【請求項８】
前記端末Ｔ１と前記ＩＰ通信網又は前記サーバＳ１の間の通信インタフェースはＵＮＩ（Ｕｓｅｒ  Ｎｅｔｗｏｒｋ  Ｉｎｔｅｒｆａｃｅ）である請求項１乃至３のいずれかに記載の通信システム。
【請求項９】
前記サーバＳ１と前記サーバＳ２の間の通信インタフェースがＮＮＩ（Ｎｅｔｗｏｒｋ  Ｎｅｔｗｏｒｋ  Ｉｎｔｅｒｆａｃｅ）である請求項３に記載の通信システム
【請求項１０】
ＩＰ通信網は複数のサーバを含み、
端末Ｔ１は前記ＩＰ通信網に接続され、端末Ｔ２又はサーバＷ２は、前記ＩＰ通信網に接続され
前記端末Ｔ１は、前記端末Ｔ２又は前記サーバＷ２の電話番号又はホスト名を送り、
サーバＳ１は、前記電話番号又は前記ホスト名を含むＩＰパケットを受取り、サーバＤ１は、前記サーバＳ１から前記電話番号又は前記ホスト名を受け取り、前記電話番号又は前記ホスト名を基に、前記端末Ｔ２又は前記サーバＷ２の通信の制御を行うサーバＳ２のＩＰアドレスＳ２Ａを返信し、
前記サーバＳ１と前記サーバＳ２により、前記ＩＰアドレスＳ２ＡとＳＩＰ（Ｓｅｓｓｉｏｎ  Ｉｎｉｔｉａｔｉｏｎ  Ｐｒｏｔｏｃｏｌ）プロトコルが用いられて前記端末Ｔ１と前記端末Ｔ２又は前記サーバＷ２の間の、通信の制御が行われ、
前記端末Ｔ１と前記端末Ｔ２又は前記サーバＷ２の間で、前記サーバＳ２を経由せず、前記ＩＰ通信網を経由して通信が行われることを特徴とするＩＰ通信システム。
【請求項１１】
ＩＰ通信網は複数のサーバを含み、
端末Ｔ１は前記ＩＰ通信網に接続され、端末Ｔ２又はサーバＷ２は、前記ＩＰ通信網に接続され
前記端末Ｔ１は、前記端末Ｔ２又は前記サーバＷ２の電話番号又はホスト名を送り、
サーバＳ１は、前記電話番号又は前記ホスト名を含むＩＰパケットを受取り、サーバＤ１は、前記サーバＳ１から前記電話番号又は前記ホスト名を受取り、前記電話番号又は前記ホスト名を基に、前記端末Ｔ２又は前記サーバＷ２の通信の制御を行うサーバＳ２のＩＰアドレスＳ２Ａを返信し、前記ＩＰアドレスＳ２Ａ及び通信制御に関わる情報を含むＩＰパケットが送受信されて、前記端末Ｔ１と前記端末Ｔ２又は前記サーバＷ２の間の通信に対する制御が前記サーバＳ１及びＳ２によって行われ、
前記端末Ｔ１と前記端末Ｔ２又は前記サーバＷ２の間で、前記サーバＳ２を経由せず、前記ＩＰ通信網を経由して通信が行われることを特徴とするＩＰ通信システム。
【請求項１２】
前記端末Ｔ１は、無線通信路１を経由して前記ＩＰ通信網に接続され、前記端末Ｔ２又はサーバＷ２は、無線通信路２を経由して前記ＩＰ通信網に接続され、前記端末Ｔ１は前記端末Ｔ２又はサーバＷ２と、前記無線通信路１、前記ＩＰ通信網及び前記無線通信路２を経由して通信を行う請求項１０又は１１に記載のＩＰ通信システム。
【請求項１３】
前記ＩＰ通信網は公衆電話交換網に接続され、前記端末Ｔ１と前記公衆電話交換網に接続された端末Ｔ４との間で通信を行う請求項１０又は１１に記載のＩＰ通信システム。
【請求項１４】
前記ＩＰ通信網は携帯通信網に接続され、前記端末Ｔ１と前記携帯通信網に接続された端末Ｔ５との間で通信を行う請求項１０又は１１に記載のＩＰ通信システム。
【請求項１５】
前記ＩＰ通信網はＩＰ通信網Ｘに接続され、前記端末Ｔ１と前記ＩＰ通信網Ｘに接続された端末Ｔ６の間で通信を行う請求項１０又は１１に記載のＩＰ通信システム。
【請求項１６】
ＩＰ通信網は複数のサーバを含み、
端末Ｔ１は前記ＩＰ通信網に接続され、端末Ｔ２又はサーバＷ２は前記ＩＰ通信網に接続され、
前記端末Ｔ１は、前記端末Ｔ２又は前記サーバＷ２の電話番号又はホスト名を送り、
サーバＳ１は、前記電話番号又は前記ホスト名を含むＩＰパケットを受取り、サーバＤ１は、前記サーバＳ１から前記電話番号又は前記ホスト名を受取り、前記電話番号又は前記ホスト名を基に、前記端末Ｔ２又は前記サーバＷ２の通信の制御を行うサーバＳ２のＩＰアドレスＳ２Ａを返信し、前記サーバＳ１及び前記サーバＳ２により、前記端末Ｔ１と前記端末Ｔ２又は前記サーバＷ２の間の通信の制御が前記ＩＰアドレスＳ２Ａを用いて行われ、
前記端末Ｔ１と前記端末Ｔ２又は前記サーバＷ２の間で、前記サーバＳ２を経由せず、前記ＩＰ通信網を経由して通信が行われることを特徴とするＩＰ通信システム。
【請求項１７】
前記端末Ｔ１は、無線通信路１を経由して前記ＩＰ通信網に接続され、前記端末Ｔ２又はサーバＷ２は、無線通信路２を経由して前記ＩＰ通信網に接続され、前記端末Ｔ１は前記端末Ｔ２又はサーバＷ２と、前記無線通信路１、前記ＩＰ通信網及び前記無線通信路２を経由して通信を行う請求項１６に記載のＩＰ通信システム。
【請求項１８】
前記ＩＰ通信網は公衆電話交換網に接続され、前記端末Ｔ１と前記公衆電話交換網に接続された端末Ｔ４の間で通信を行う請求項１６に記載のＩＰ通信システム。
【請求項１９】
前記ＩＰ通信網は携帯通信網に接続され、前記端末Ｔ１と前記携帯通信網に接続された端末Ｔ５の間で通信を行う請求項１６に記載のＩＰ通信システム。
【請求項２０】
前記ＩＰ通信網はＩＰ通信網Ｘに接続され、前記端末Ｔ１と前記ＩＰ通信網Ｘに接続された端末Ｔ６の間で通信を行う請求項１６に記載のＩＰ通信システム。
【請求項２１】
前記端末Ｔ１と前記サーバＳ１の間の通信インタフェースはＵＮＩ（Ｕｓｅｒ  Ｎｅｔｗｏｒｋ  Ｉｎｔｅｒｆａｃｅ）であり、前記サーバＳ１及びＳ２の間の通信インタフェースがＮＮＩ（Ｎｅｔｗｏｒｋ  Ｎｅｔｗｏｒｋ  Ｉｎｔｅｒｆａｃｅ）である請求項１０、１１又１６のいずれかに記載のＩＰ通信システム。
【請求項２２】
ＩＰ通信網はサーバＡを含み、
前記ＩＰ通信網には端末Ｔ１及びＴ２又はサーバＢが接続され、
前記サーバＡは前記端末Ｔ１から送られる前記端末Ｔ２又は前記サーバＢの電話番号又はホスト名等の識別子を受取り、前記端末Ｔ２又は前記サーバＢの通信の制御を行い、且つ前記端末Ｔ１と前記端末Ｔ２又は前記サーバＢの間の前記ＩＰ通信網を経由する通信を中継しないサーバＣのＩＰアドレスを、前記識別子を基に検索して返信し、前記端末Ｔ１と前記端末Ｔ２又は前記サーバＢの間の通信であり、且つ前記サーバＣにより制御される通信が行われることを特徴とするＩＰ通信システム。
【請求項２３】
第１の端末から送られる第２の端末又は第２のサーバの国際電話番号体系に基づく電話番号又はホスト名等の識別子を受取り、前記識別子を基に、前記第２の端末又は前記第２のサーバの通信の制御を行い、且つ前記第１の端末と前記第２の端末又は前記第２のサーバの間の通信を中継しない第３のサーバのＩＰアドレスを検索し、返信することを特徴とするサーバ。